(57)【要約】【課題】個々の遊技機自身で管理しなくても予め記憶させておいた特定の演出を実行することができる様にして、タイミングを合わせたりするための煩雑な作業をなくする。【解決手段】遊技機Ｐは、契機信号を出力するための契機信号出力手段Ｍ２と、特定演出実行データ記憶手段Ｍ１及び契機信号送信時特定演出実行可能化手段Ｍ７と、他の遊技機からの契機信号を受信する契機信号受信手段Ｍ３と、契機信号受信時特定演出実行可能化手段Ｍ７とを備え、他の遊技機に対して契機信号を出力して特定演出を実行するリーダー台として機能すると共に、他の遊技機からの契機信号を受信して特定演出を実行するメンバー台としての機能も兼ね備えている。この遊技機Ｐを複数台設置し、種々のタイミングにおいて、一斉に、あるいは伝染する様に特定の演出を実行させる。【選択図】  図１
2014226301.tif 000002
【特許請求の範囲】
【請求項１】
遊技場に設置される遊技機であって、以下の構成を備えていることを特徴とする遊技機。
（１）所定の契機が与えられたときに実行可能な状態となる特定の演出のための特定演出実行データを予め記憶させておく特定演出実行データ記憶手段を備えていること。
（２）所定の条件が成立したときに、無線方式で契機信号を出力させる契機信号出力手段を備えていること。
（３）他の遊技機から出力された前記契機信号を無線方式で受信し得る契機信号受信手段とを備えていること。
（４）前記契機信号受信手段が他の遊技機からの契機信号を受信したとき、前記特定演出実行データ記憶手段に記憶させておいた特定演出実行データを実行可能な状態とする契機信号受信時特定演出実行可能化手段を備えていること。
【請求項２】
さらに、以下の構成を備えていることを特徴とする請求項１に記載の遊技機。
（５）前記契機信号受信手段が前記他の遊技機から契機信号を受信したとき、前記契機信号出力手段を作動させて当該契機信号をさらに他の遊技機に対して出力する契機信号伝令手段を備えていること。
【請求項３】
さらに、以下の構成を備えていることを特徴とする請求項１又は２に記載の遊技機。
（６）前記契機信号出力手段を作動させるとき、前記特定演出実行データ記憶手段に予め記憶させておいた前記特定演出実行データを実行可能な状態とする契機信号送信時特定演出実行可能化手段を備えていること。
【請求項４】
さらに、以下の構成を備えていることを特徴とする請求項３に記載の遊技機。
（７）前記特定演出実行データ記憶手段には前記契機信号送信時特定演出実行可能化手段によって実行可能な状態とし得る特定演出実行データとして複数のデータを記憶させておき、前記契機信号送信時特定演出実行可能化手段は、前記契機信号の種類又は前記契機信号を出力したときの遊技状態に基づいて、これら複数のデータの内のいずれのデータの実行を可能にするかを選択する契機信号送信時実行可能化データ選択手段を備えていること。
【請求項５】
さらに、以下の構成を備えていることを特徴とする請求項１〜４のいずれかに記載の遊技機。
（８）前記契機信号出力手段から出力させる前記契機信号として専用の光もしくは専用の音を用いること。
【請求項６】
さらに、以下の構成を備えていることを特徴とする請求項１〜５のいずれかに記載の遊技機。
（９）前記契機信号が光と音のそれぞれについて設定され、前記特定の演出の種類が光を契機信号とする場合と音を契機信号とする場合とで異ならせてあること。
【請求項７】
さらに、以下の構成を備えていることを特徴とする請求項５又は６に記載の遊技機。
（１１）前記契機信号出力手段として、前記契機信号となる光を出力させる光出力手段を隣合う遊技機に近い側の遊技機枠の側部に設けると共に、前記契機信号受信手段として、隣合う遊技機が出力した前記契機信号としての光を受光可能な受光手段を、当該隣り合う遊技機に近い側の遊技機枠の側部に設けてあること。
【請求項８】
さらに、以下の構成を備えていることを特徴とする請求項５又は６に記載の遊技機。
（１２）前記契機信号出力手段として、前記契機信号となる音を出力させる音出力手段を遊技機枠に設けると共に、前記契機信号受信手段として、前記他の遊技機が出力した前記契機信号としての音を受信可能な受音手段を遊技機枠に設けてあること。
【請求項９】
さらに、以下の構成を備えていることを特徴とする請求項１〜８のいずれかに記載の遊技機。
（１３）外部機器からの作動指令信号を受信するための外部機器信号受信手段と、該外部機器信号受信手段が前記作動指令信号を受信したとき、前記契機信号出力手段を作動させて前記契機信号を出力させる外部指令応答制御実行手段とを備えていること。
【発明の詳細な説明】
【技術分野】
【０００１】
本発明は、遊技機に係り、特に、予め記憶させておいた特定の演出を所定の契機によって実行可能とすることのできる遊技機に関する。
【背景技術】
【０００２】
特許文献１は、時刻情報やカレンダー情報を利用して同じ島に設置された複数の遊技機で一斉にデモンストレーション演出を行う技術を開示している。この技術は、ＲＴＣ（リアルタイムクロック）機能を備えた遊技機によって実現されており、ＲＴＣから得られる時間情報（年・月・日・時・分・秒）を取得し、当該時間情報を演出開始のトリガーに利用することで興趣を向上させるものである。この技術は、「所定の年・月・日・時・分・秒になったことを実行条件とするデモンストレーションデータ」を、同種遊技機に対して予め記憶させておくことにより成立するものである。
【先行技術文献】
【特許文献】
【０００３】
【特許文献１】特開２０１１−２４５１５６（要約、０５４８〜０５６３）
【発明の概要】
【発明が解決しようとする課題】
【０００４】
特許文献１の技術は、遊技機への電源投入タイミングがずれると一斉演出のタイミングがずれてしまうという問題がある。また、特許文献１の技術は、決まったタイミングで決まった演出を実行することしかできないという問題がある。
【０００５】
そこで、本発明は、上記のような問題点を鑑み、個々の遊技機自身で管理しなくても、予め記憶させておいた特定の演出を実行することができる様にすることで、タイミングを合わせたりするための煩雑な作業をなくすことを目的とする。
【課題を解決するための手段】
【０００６】
図１（Ａ）に例示する様に、かかる目的を達成するためになされた本発明の遊技機Ｐは、遊技場に設置される遊技機であって、以下の構成を備えていることを特徴とする。
（１）所定の契機が与えられたときに実行可能な状態となる特定の演出のための特定演出実行データを予め記憶させておく特定演出実行データ記憶手段Ｍ１を備えていること。
（２）所定の条件が成立したときに、無線方式で契機信号を出力させる契機信号出力手段Ｍ２を備えていること。
（３）他の遊技機から出力された前記契機信号を無線方式で受信し得る契機信号受信手段Ｍ３とを備えていること。
（４）前記契機信号受信手段Ｍ３が他の遊技機からの契機信号を受信したとき、前記特定演出実行データ記憶手段Ｍ１に記憶させておいた特定演出実行データを実行可能な状態とする契機信号受信時特定演出実行可能化手段Ｍ５を備えていること。
【０００７】
なお、本発明の遊技機は、さらに、以下の構成をも備えるとよい。
（４Ａ）前記特定演出実行データ記憶手段Ｍ１には前記契機信号受信時特定演出実行可能化手段Ｍ５によって実行可能な状態とし得る特定演出実行データとして複数のデータ（Ｄ2A，Ｄ2B，…）を記憶させておき、前記契機信号受信時特定演出実行可能化手段Ｍ５は、前記契機信号の種類又は前記契機信号を受信したときの遊技状態に基づいて、これら複数のデータ（Ｄ2A，Ｄ2B，…）の内のいずれのデータの実行を可能にするかを選択する契機信号受信時実行可能化データ選択手段Ｍ６を備えていること。
【０００８】
ここで、本発明の遊技機は、さらに、以下の構成をも備えるとよい。
（５）前記契機信号受信手段Ｍ３が前記他の遊技機から契機信号を受信したとき、前記契機信号出力手段Ｍ２を作動させて当該契機信号をさらに他の遊技機に対して出力する契機信号伝令手段Ｍ９を備えていること。
【０００９】
また、これら本発明の遊技機は、さらに、以下の構成をも備えるとよい。
（６）前記契機信号出力手段Ｍ２を作動させるとき、前記特定演出実行データ記憶手段Ｍ１に予め記憶させておいた前記特定演出実行データを実行可能な状態とする契機信号送信時特定演出実行可能化手段Ｍ７を備えていること。
【００１０】
この場合に、さらに、以下の構成をも備えるとよい。
（７）前記特定演出実行データ記憶手段Ｍ１には前記契機信号送信時特定演出実行可能化手段Ｍ７によって実行可能な状態とし得る特定演出実行データとして複数のデータ（Ｄ1A，Ｄ1B，…）を記憶させておき、前記契機信号出力時特定演出実行可能化手段Ｍ７は、前記契機信号の種類又は前記契機信号を出力したときの遊技状態に基づいて、これら複数のデータ（Ｄ1A，Ｄ1B，…）の内のいずれのデータの実行を可能にするかを選択する契機信号送信時実行可能化データ選択手段Ｍ８を備えていること。
【００１１】
本発明の遊技機Ｐは、図１（Ｂ）に例示する様に、遊技場内の同じ遊技島に複数台の遊技機Ｐ１，Ｐ２，Ｐ３を隣り合うように設置したり、図１（Ｃ）に例示する様に、複数台の遊技機Ｐ11，Ｐ12，Ｐ21，Ｐ22，Ｐ31，Ｐ32を複数の島にわたり、隣合い、向かい合い、背中合わせとなる様に設置して用いることができる。
【００１２】
本発明の遊技機は、遊技場において次の様な役割を持たせる様に複数台を設置することができる。
（Ａ）少なくとも１台の遊技機を、光もしくは音からなる契機信号を出力する契機信号送信手段を備えると共に、当該契機信号の出力を契機として第１の特定の演出を実行し得る様に構成されたリーダー台として機能させること。
（Ｂ）少なくとも１台の遊技機を、前記リーダー台が出力した前記契機信号を受信可能な契機信号受信手段を備えると共に、当該契機信号の受信を契機として第２の特定の演出を実行し得る様に構成されたメンバー台として機能させること。
【００１３】
本発明の遊技機は、最低２台以上を遊技場設備に備えさせ、それらの内の最低１台に「前記所定の条件となる契機信号出力条件を予め設定しておきて、当該契機信号出力条件が成立したか否かを判定する契機信号出力条件判定手段を備えさせること」により、他の遊技機に指令する台（以下、「リーダー台」という。）として機能させることができる。このリーダー台が契機信号を出力すると、遊技場に設置された他の遊技機は、契機信号を受信し、リーダー台の指令を受ける台（以下、「メンバー台」という。）として機能することとなる。これにより、本発明の遊技機を複数台設置することにより、リーダー台とメンバー台とが互いに同期し合うようにして統一的であったり関連性を有する様な演出を実行する状態を遊技場内において実現することもできる。
【００１４】
ここで、本発明の遊技機は、上述の「（４）契機信号受信時特定演出実行可能化手段Ｍ５」を備えているから、メンバー台としての「第２の特定の演出」を実行することができる。そして、上述の「（６）契機信号送信時特定演出実行可能化手段Ｍ７」をも備えることにより、リーダー台としても「第１の特定の演出」を実行させるすることができる。これら、「第１の特定の演出」は契機信号発生条件の成立時にあるタイミングで実行するものとして、「第２の特定の演出」は契機信号受信時にあるタイミングで実行するものとして、遊技機の記憶手段に予め記憶させておくものである。また、「第１の特定の演出」と「第２の特定の演出」は、同一内容であってもよいし、異なる内容であってもよい。さらに、リーダー台として特定の演出を実行するタイミングとメンバー台として特定の演出を実行するタイミングは、必ずしも同一としておく必用はない。その結果、リーダー台とメンバー台とが必ずしも統一的な演出を同時に実行する状態に限らず、次の様な態様で実施することもできる。
【００１５】
（イ）リーダー台とメンバー台の演出内容は同一ではないが関連性を有する特定の演出を実行する態様（例えば、リーダー台ではデモ演出１を、メンバー台ではデモ演出２を実行するなど）。
（ロ）リーダー台とは必ずしも一致しない演出内容であって、メンバー台同士で統一された特定の演出を実行する態様（例えば、リーダー台は可動体役物等による演出、メンバー台では同じ映像表示による演出を実行するなど。）。
（ハ）リーダー台とメンバー台における特定の演出の実行タイミングにディレイを持たせてウェーブの様に伝染する様な実行タイミングとする態様（例えば、前述の契機信号伝令手段Ｍ９をも備えさえ、メンバー台に次々と特定の演出が伝染していく様な態様など。）。
【００１６】
本発明の目的は、各遊技機が、「［１］他の遊技機からの契機信号を受信して第２の特定の演出を実行する構成」を備えることによって、達成することができる。即ち、従来技術の様な内蔵時計によって自己管理することで特定の演出を実行するタイミングを制御するのではなく、他の遊技機から受信した契機信号を用いることにより、当該他の遊技機が実行タイミングを管理することとなり、電源投入時などに煩雑な作業をする必用をなくすことができ、メンバー台同士でタイミングよく特定の演出を実行することが可能になる。
【００１７】
また、これに加えて、本発明は、各遊技機が、「［２］当該遊技機自身での条件の成立に従って第１の特定の演出を実行すると共に、他の遊技機からの契機信号を受信して第２の特定の演出を実行する構成」を備えることによって、リーダー台もメンバー台と一体感のある演出を実行させるなどが可能になる。
【００１８】
なお、［２］の構成を備える遊技機が２台以上あることを妨げず、その場合に当該遊技機はリーダー台であると同時にメンバー台でもあるという構成を採用することも妨げない。
【００１９】
また、特定の演出を実行させるべき遊技機の全てが「（Ａ）リーダー台」と「（Ｂ）メンバー台」とを兼ねる「（Ｃ）リーダー兼メンバー台」であっても構わない。この様なリーダー兼メンバー台となり得る本発明の遊技機を設置した遊技場設備においては、リーダー兼メンバー台のいずれか最初に契機信号を発生させるべき条件が成立した遊技機がその時点でのリーダー台となり、それ以外の遊技機はその時点ではメンバー台となるのである。
【００２０】
この場合、遊技場において、複数台設置された遊技機に対して、次のような役割を持たせる様にすればよい。
（Ｃ）複数台の各遊技機を、光もしくは音からなる契機信号を出力させる契機信号出力手段を備え、当該契機信号の出力を契機として第１の特定の演出を実行し得る様に構成されると共に、他の遊技台からの前記記契機信号を受信可能な受信手段を備え、当該契機信号の受信を契機として第２の特定の演出を実行し得る様に構成することにより、前記契機信号を出力しつつ前記第１の特定の演出を実行するリーダー台であると共に前記契機信号を受信して前記第２の特定の演出を実行するメンバー台でもあるリーダー兼メンバー台として機能させること。
【００２１】
この「（Ｃ）リーダー兼メンバー台」は、メンバー台として機能する様に、「前記契機信号と前記第２の特定の演出とを対応付けたデータを記憶手段に予め記憶させたもの」となる。そして、リーダー台となり得る様に、「所定の条件が成立したときに前記契機信号を発生させる設定がなされていること」という構成も備わっていることとなる。この「契機信号」として２以上の異なる種類の契機信号を設定し、それぞれに対して「契機信号を発生させるべき条件」が設定され、それぞれに対して「契機信号に応じた特定の演出」が設定された構成とすることもできる。
【００２２】
加えて、「特定の演出を実行し得る（実行可能な状態にする）」とは、「契機信号を受信したら特定の演出を実行する」という構成に限らず、「契機信号を受信したら特定の演出を実行するためのフラグを立てる」という構成であってもよいことを意味する。
【００２３】
例えば、遊技場内の多数の遊技機に一斉に特定の演出を実行させるのであれば、契機信号伝達上の時間的な遅れを考慮した構成としておき、当該特定の演出のタイミングをより厳密に一致させる構成を追加しても構わないのである。また、「契機信号を受けたら特定の演出を実行するためのフラグを立て、遊技場全体に流されているＢＧＭの切り替わりのタイミングや、大当たりを知らせる電子音や場内アナウンスが流されるタイミングなどの遊技場全体に共通な所定条件の成立により、契機信号を受信してフラグを立てておいた演出を各遊技台が開始する」といった様に構成して構わないのである。
【００２４】
ここで、リーダー台が出力する「音からなる契機信号」としては、例えば、モスキート音など遊技場の通常の環境では存在しない音をあげることができる。なお、「音からなる契機信号」としては、「特定周波数の音」に限らず、「特定の効果音」や「特定のＢＧＭ」を発生させる構成としておいても構わない。
【００２５】
また、本発明において、リーダー台が出力する「光からなる契機信号」としては、例えば、赤外線やレーザ光線などの「遊技場内で通常発生させない特定の周波数の光」をあげることができる。なお、「光の入射方向を特定方向とすること」で契機信号としたり、「発光パルスを特定のパルスとした断続的な光信号」をもって契機信号とするなど、ＬＥＤ発光等を用いて契機信号を与えることもできる。
【００２６】
さらに、本発明において、「光のみを契機信号とする」「音のみを契機信号とする」「光か音のいずれかを契機信号とする」「光と音の両方からなる契機信号とする」など、種々に構成することができる。
【００２７】
加えて、本発明において、契機信号を受けて実施される「特定の演出」としては、液晶表示装置に特定の映像を表示したり、ＬＥＤを発光させたり、スピーカから特定の音声や音楽を流すといった演出としたり、可動体を備える遊技機にあっては可動体に特定の動作を実行させるといった演出のいずれであっても構わないし、これらが組み合わされていても構わない。また、「ＢＧＭ等のためのスピーカ」以外に「演出用の可動式スピーカ」を備えさせておき、この「演出用の可動式スピーカ」に特定の動作や特定の音声を出力させる様にしても構わない。
【００２８】
また、「特定の演出」としては、「デモンストレーション演出」を挙げることができる。この場合、本発明によれば、リーダー機能を有するリーダー台による「契機信号」の発生をトリガーとして複数台の遊技機が「特定の演出」を実行し得る構成としているので、遊技場に設置されている複数台の遊技機において一斉にデモンストレーション画面を表示する場合のズレをなくしたり、あるいは、デモンストレーション画面が次々と伝染していく様な設定を精度良く実現することができる。
【００２９】
「特定の演出」としては、「デモンストレーション演出」に限らず、「大当たり予告演出」を特定の演出とするものであってもよい。例えば、「特定の演出を実行し得る様にフラグを立てる」構成にあっては、リーダー台が発した契機信号をトリガーとして、同種遊技機における「大当たり予告演出」で出現させる「キャラクタの種類」を統一し、最初の契機信号ではあるキャラクタを予告演出に登場し得る状態とし、次の契機信号で異なるキャラクタが登場し得る状態に切り換えるといった様に、複数台の遊技機同士があたかも申し合わせた様に大当たり予告演出を行うことも可能となる。
【００３０】
加えて、契機信号の受信に伴って背景画面を統一させるといったことも可能になる。この様な場合には、例えば、「全回転リーチ」や「確変図柄への昇格」を契機信号出力条件として、いずれかの遊技機が「全回転リーチ」や「確変図柄への昇格」となったときに契機信号を出力し、他の遊技機の背景画面が一斉に特定の背景画面となることによって、いずれかの遊技機において「全回転リーチ」や「確変図柄への昇格」となったことが他の遊技機に伝えられるという結果を実現する。
【００３１】
この様に、本発明によれば、リーダー台の発する音や光を契機として、複数台の遊技機において特定の演出を行わせるという、かつてない構成を採用することにより、遊技場全体を盛り上げる様な新たなゲーム性を創出することもできる。
【００３２】
また、本発明によれば、リーダー台の契機信号の出力タイミングによってリーダー台及びメンバー台における特定の演出の実行タイミングの統一や演出内容の統一などが図られることとなる。
【００３３】
さらに、本発明によれば、リーダー台が、メンバー台における特定の演出の実行タイミングをコントロールする構成であるから、契機信号を出力させる条件を時刻をパラメータとして設定することもできるし、時刻以外の条件をパラメータとして設定することもでき、さらには、時刻と時刻以外の条件とをパラメータとしてそれぞれ設定しておくこともできる。従って、遊技場設備において複数台の遊技機が特定の演出を一斉に実行する場合であっても、その実行タイミングに変化が生じ、遊技者から見たときにランダムなタイミングで統一された演出が切り替わっているという新鮮な感覚を抱かせる様な設定も可能となる。
【００３４】
本発明の遊技機においては、上述の「（４Ａ）契機信号受信時実行可能化データ選択手段Ｍ６」をも備える場合には、例えば、特定の演出として液晶表示装置の画面に映像データを表示させるとき、変動演出を実行していない遊技機については、画面一杯を利用した特定の演出を実行するためのデータＤ2Aを選択させ、変動演出実行中の遊技機については、変動演出を邪魔することのない特定演出実行データＤ2Bを選択させるといったことが可能となる。
【００３５】
同じく、上述の「（６）契機信号送信時実行可能化データ選択手段Ｍ８」をも備える場合には、リーダー台として機能する場合に変動演出を邪魔しない様にするデータの選択が可能となる。
【００３６】
さらに、「（７）契機信号伝令手段Ｍ９」の構成をも備えさせることにより、いずれかの遊技機から発生した契機信号を、次々とリレーする様に遊技場内の他の遊技機へと伝令していくことができる。これにより、同一の遊技島内で隣から隣へと契機信号を伝令する構成としたり、反対側の遊技島や、離れた遊技島へも次々と契機信号を伝令していく構成とすることなども可能となり、遊技場内における同種の遊技機の設置位置が広範囲にわたっていている場合にも、同種の遊技機が連動している様なイメージで特定の演出を実行し得る状態とさせるといったことが可能になる。
【００３７】
なお、本発明の遊技機は、特に、以下の構成をも備えたものとするとよい。
（８）前記契機信号出力手段から出力させる前記契機信号として専用の光もしくは専用の音を用いること。
【００３８】
契機発生手段からの光や音を専用の光（例えば、赤外線）もしくは専用の音（例えば、モスキート音）とすることで、通常使用される光や音とは明確に区別できるからである。
【００３９】
また、本発明の遊技機には、さらに、以下の構成を備えさせるとよい。
（９）前記契機信号が光と音のそれぞれについて設定され、前記特定の演出の種類が光を契機信号とする場合と音を契機信号とする場合とで異ならせてあること。
【００４０】
音を契機とする場合と光を契機とする場合で、実行される特定の演出の種類を異ならせることによって変化に富んだ演出が可能となる。
【００４１】
また、本発明の遊技機は、図１（Ａ）に例示する様に、以下の構成をも備えたものとするとよい。
（１１）前記契機信号出力手段として、前記契機信号となる光を出力させる光出力手段Ｍ11A1 ，Ｍ11A2 を隣合う遊技機に近い側の遊技機枠の側部に設けると共に、前記契機信号受信手段として、隣合う遊技機が出力した前記契機信号としての光を受光可能な受光手段Ｍ11B1 ，Ｍ11B2 を、当該隣り合う遊技機に近い側の遊技機枠の側部に設けてあること。
【００４２】
契機信号を発生させたリーダー台から隣接するメンバー台に対して順次伝令していくといった“連動感”“一体感”を与える演出に適するものとなる。
【００４３】
また、本発明の遊技機は、図１（Ａ）に例示する様に、以下の構成をも備えたものとするとよい。
（１２）前記契機信号出力手段として、前記契機信号となる音を出力させる音出力手段Ｍ12A を遊技機枠に設けると共に、前記契機信号受信手段として、前記他の遊技機が出力した前記契機信号としての音を受信可能な受音手段Ｍ12B を遊技機枠に設けてあること。
【００４４】
契機信号を発生させたリーダー台から音の届く範囲内のメンバー台に対して一斉に契機信号を伝えることができ、“散発的”“偶発的”な演出に適するものとなる。
【００４５】
また、これら本発明の遊技機は、図１（Ａ）に例示する様に、以下の構成をも備えたものとすることができる。
（１３）外部機器Ｑからの作動指令信号を受信するための外部機器信号受信手段Ｍ１３と、該外部機器信号受信手段Ｍ１３が前記作動指令信号を受信したとき、前記契機信号出力手段Ｍ２を作動させて前記契機信号を出力させる外部指令応答制御実行手段Ｍ１４とを備えていること。
【００４６】
例えば、「リーダー台となり得る遊技機の機枠の所定位置に光センサを設置しておき、外部機器としてレーザーポインタを用いて当該光センサに所定の波長の光を当てることによって、契機信号発生条件とする」、「リーダー台となり得る遊技機の機枠の所定位置に指向性が高く通常の環境では存在しない特定周波数の音（例えば超音波など）を識別することのできるマイクロフォンを設置しておき、当該マイクロフォンに向かって外部機器として超音波発生装置を用いて超音波を当てることによって、契機信号発生条件とする」などといった構成をあげることができる。この様な外部機器からの刺激に反応させて契機信号を発生させる構成を採用する場合、遊技場管理者において同期演出の発生状況を確認したり、あるいは、営業時間中に遊技場管理者が意図的にデモンストレーション演出を発生させて遊技場全体を盛り上げるといった機能を実現することができる。
【発明の効果】
【００４７】
本発明によれば、個々の遊技機自身で管理しなくても、予め記憶させておいた特定の演出を実行することができる様にすることで、タイミングを合わせたりするための煩雑な作業をなくすことができる。
【図面の簡単な説明】
【００４８】
【図１】本発明の構成を概念的に例示する発明概念図である。
【図２】実施例１のパチンコ機を示し、（Ａ）は遊技盤を取り外した状態の斜視図、（Ｂ）は正面図、（Ｃ）は分解斜視図である。
【図３】実施例１のパチンコ機における各種可動体役物の動作を示した遊技盤の正面図である。
【図４】実施例１のパチンコ機の制御装置の構成を示すブロック図である。
【図５】実施例１のパチンコ機における賞球払出制御処理を説明する図であって、（Ａ）は制御系統のブロック図、（Ｂ）は演算処理のフローチャートである。
【図６】実施例１のパチンコ機における乱数抽選を説明する図であって、（Ａ）は制御系統のブロック図、（Ｂ）は演算処理のフローチャートである。
【図７】実施例１のパチンコ機における保留消化処理を説明する図であって、（Ａ）は制御系統のブロック図、（Ｂ）は演算処理のフローチャートである。
【図８】実施例１のパチンコ機における演出制御（メイン処理）を説明する図であって、（Ａ）は制御系統のブロック図、（Ｂ）は演算処理のフローチャート、（Ｃ）は可動体信頼度制御パターンテーブルを例示する模式図である。
【図９】実施例１のパチンコ機における演出制御（契機信号発生処理１）を説明する図であって、（Ａ）は制御系統のブロック図、（Ｂ）は演算処理のフローチャートである。
【図１０】実施例１のパチンコ機における演出制御（契機信号発生処理２）を説明する図であって、（Ａ）は制御系統のブロック図、（Ｂ）は演算処理のフローチャートである。
【図１１】実施例１のパチンコ機における演出制御（契機信号発生処理３）を説明する図であって、（Ａ）は制御系統のブロック図、（Ｂ）は演算処理のフローチャートである。
【図１２】実施例１のパチンコ機と課題解決手段の関係を説明する模式図である。
【図１３】遊技場設備における実施例１のパチンコ機の設置例を示す説明図である。
【図１４】実施例１のパチンコ機における特定演出について説明する図であって、（Ａ）は特定演出データに対応する特定演出の内容を示す説明図、（Ｂ）は隣合う遊技機同士の内で左端がリーダー台となったときの契機信号伝達の様子を示す説明図、（Ｃ）は同じく真ん中がリーダー台となったときの契機信号伝達の様子を示す説明図である。
【図１５】実施例１のパチンコ機における特定演出について説明する図であって、（Ａ）は音を契機信号とする場合の伝播の様子を示す説明図、（Ｂ）は３列に分かれて設置された遊技機の１台がリーダー台となったときの契機信号伝達の様子を示す概念図、（Ｃ）はその結果として一斉に実行される特定演出の内容を示す説明図である。
【発明を実施するための形態】
【００４９】
以下、本発明の実施形態として、具体的な実施例を図面に基づき詳細に説明する。実施例において「左」又は「右」とは、パチンコ機の表側（前面側）から見たときの「左」又は「右」を示すものとする。
【実施例１】
【００５０】
［１  遊技機全体の概要］
実施例１のパチンコ機を、図面に基づき詳細に説明する。なお実施例において「左」又は「右」とは、パチンコ機の表側（前面側）から見たときの「左」又は「右」を示すものとする。まず本実施形態のパチンコ機の基本的構成を簡単に説明する。
【００５１】
実施例１のパチンコ機Ｐは、図２に示す様に、外枠Ａ、中枠Ｂ、遊技盤１、前枠Ｄ、上の球受け皿Ｅ、下の球受け皿Ｆ及び発射装置Ｇを備えている。外枠Ａはパチンコ機Ｐの外郭を構成する縦長方形の枠である。中枠Ｂは、各種の遊技用構成部材をセットするための縦長方形の枠であって、外枠Ａの前面側に開閉可能かつ着脱可能に組み付けられる。遊技盤１は、中枠Ｂの開口部に取り付けられる。前枠Ｄは遊技盤１の透視保護窓であって、施錠装置Ｈの操作によって開閉可能な様に中枠Ｂの前面側に組み付けられる。上の球受け皿Ｅは、貸し球や賞球の受け皿で、本実施例においては前枠Ｄの下部と一体に構成されてる。従って、前枠Ｄを中枠Ｂに対して開閉するときに上の球受け皿Ｅも共に開閉される。下の球受け皿Ｆは、上の球受け皿Ｅが一杯になったときに排出される遊技球や打ち損じの遊技球等を受ける受け皿であって、中枠Ｂの下部に固定されている。発射装置Ｇは、上の球受け皿Ｅから発射レールに送り込まれた遊技球をハンドル操作に対応する強さで打ち出すための装置であって、中枠Ｂの右下部に装備される。
【００５２】
中枠Ｂは、上縁をなす上枠部材Ｂ１と、下縁をなし発射装置Ｇ等が設置された下枠部材Ｂ２と、左側縁をなす左枠部材Ｂ３と、右側縁をなす右枠部材Ｂ４とから構成されて、これら上下左右の枠部材Ｂ１〜Ｂ４を組み付けた際に、全体が外枠Ａの開口に整合する矩形枠状に形成される。そして、上下左右の枠部材Ｂ１〜Ｂ４を組み付けた際に開口する開口部分が、遊技盤１を設置する遊技盤保持部Ｂ５として機能する。ここで、中枠Ｂは、外枠Ａの左上端部及び左下端部に設けられた支軸を介して枢支され、左側端部を中心として中枠Ｂを回転させることで外枠Ａに対して中枠Ｂを開閉し得るようになっている。なお、パチンコ機の下部には固定スピーカＳＰ０，ＳＰ０も設置されている。
【００５３】
また、本実施例のパチンコ機Ｐは、その特徴として、以下の構成をも備えている。
【００５４】
まず、実施例のパチンコ機Ｐは、その前枠Ｄの枠上面左側に超音波（ultrasonic waves）を放音する超音波スピーカＵＳout が設置されると共に、前枠Ｄの枠上面右側に超音波を受音する超音波マイクＵＳinが設置されている。
【００５５】
また、実施例のパチンコ機Ｐは、その前枠Ｄの枠左側面に赤外線（infrared rays ）を発光する赤外線発光器ＩＦout1と、赤外線を受光する赤外線受光器ＩＦin2 とが設置されると共に、前枠Ｄの枠右側面にも赤外線を受光する赤外線受光器ＩＦin1 と、赤外線を発光する赤外線発光器ＩＦout2とが設置されている。ここで、左側面の赤外線発光器ＩＦout1と右側面の赤外線受光器ＩＦin1 は、互いの設置高さが一致している。また、左側面の赤外線受光器ＩＦin2 と右側面の赤外線発光器ＩＦout2も、互いの設置高さが一致している。
【００５６】
さらに、実施例のパチンコ機Ｐは、その前枠Ｄの正面上部にレーザー光線（laser beams）を受光するレーザー受光器ＬＺinも設置されている。
【００５７】
遊技盤１には、図３（Ａ）に示す様に、液晶表示装置ＬＣＤを備えたセンター役物３が配置されている。このセンター役物３のすぐ下には始動入賞口１１が配置されていて、この始動入賞口１１に遊技球が入賞すると液晶表示装置ＬＣＤに表示される図柄が変動を開始する。そのため、液晶表示装置ＬＣＤと始動入賞口１１との間は、遊技者が注目する場所となっている。また、遊技盤１には、これら部品の他に、特別入賞口１２、普通入賞口１３〜１５等の各種の部品が取り付けられている。
【００５８】
遊技盤１には、各種可動体役物が備えられている。図３（Ｂ）に示す様に、センター飾り上部に備えられているロゴは、二つに割れて左右に広がりながら落下するロゴ可動体役物１００となっている。また、図３（Ｃ）に示す様に、センター飾りの右側から中心に向かって振り出され、先端のシャッタ２１０を開く振り子役物２００も備わっている。
【００５９】
［２  制御装置の構成］
図４に示す様に、ＣＰＵ，ＲＯＭ，ＲＡＭ，クロック等を備えたメイン制御基板３１０に対して、遊技盤１に備えられた各入賞口への遊技球の入賞を検知する入賞検知センサＳＥ１，ＳＥ２，…、裏ユニットの球排出通路へと遊技球が排出されたことを検知する排出球検知センサＳＥ１１，ＳＥ１２からの検知信号が入力される様になっている。また、メイン制御基板３１０からは、サブ制御基板３２０、払出制御基板３３０、発射制御基板３４０へとコマンドが出力される様になっている。
【００６０】
発射装置Ｇは、発射制御基板３４０からの制御コマンドに従って、打球の発射・停止を実行する。打球の停止は、例えば、何らかのエラーが発生したときなどに指令される。払出制御基板３３０は、メイン制御基板３１０からの払出コマンドに従って、賞球の払出を実行する。賞球払出個数は、どの入賞口に入賞したかによって予め定められている。また、メイン制御基板３１０は、払出制御基板３３０の外部出力端子を介してホールコンピュータ４００へとエラー信号を出力する機能も備えている。
【００６１】
サブ制御基板３２０は、メイン制御基板３１０からの演出指令信号に基づいて、液晶表示装置ＬＣＤ、センター役物３等の装飾部材に備えられている発光装置ＬＥＤ、及び固定スピーカＳＰ０に対して制御信号を出力し、表示演出、発光演出、音声演出を実行する。また、サブ制御基板３２０は、ロゴ可動体役物１００を駆動するソレノイドＳＯＬ１，ＳＯＬ２、振り子役物２００を回動動作させるモータＭＴ１、振り子役物２００の先端のシャッタ２１０の開閉動作を実行させるモータＭＴ２に対しても制御信号を出力し、可動体演出を実行する。
【００６２】
サブ制御基板３２０には、リアルタイムクロックＲＴＣからの時間情報（年・月・日・時・分・秒）も入力される様になっている。また、サブ制御基板３２０には、レーザー受光器ＬＺinからの受光信号、赤外線受光器ＩＦin1 ，ＩＦin2 からの受光信号、及び超音波マイクＵＳinからの受音信号も入力される様になっている。そして、赤外線発光器ＩＦout1，ＩＦout2による赤外線出力、超音波スピーカＵＳout による超音波出力も、サブ制御基板３２０からの指令によって実行される様になっている。
【００６３】
［３  制御処理（賞球払出）］
メイン制御基板３１０は、図５（Ａ）に示す制御系統により、入賞検知センサＳＥ１〜ＳＥ５からの入賞検知信号が入力されると、各センサに対応する賞球払出個数に対応する賞球払出コマンドを払出制御基板３３０に対して出力する賞球払出処理を実行している。これを受けて、払出制御基板３３０は、遊技球の入賞口に対応して予め定められた個数の賞球の払出動作を実行する。
【００６４】
この賞球払出制御は、図５（Ｂ）に示す様な演算処理ルーチンとして実行され、入賞検知センサＳＥ１〜ＳＥ５からの検知信号が入力されたか否かを判断し（Ｓ１０）、「ＹＥＳ」と判定されたら、払出制御基板３３０に対してセンサを特定した賞球払出信号を出力すると共に（Ｓ２０）、抽選処理ルーチンを起動する（Ｓ３０）。
【００６５】
［４  制御処理（乱数抽選）］
また、メイン制御基板３１０は、図６（Ａ）に示す制御系統により、始動入賞口の入賞検知センサＳＥ１からの入賞検知信号が入力されると、乱数抽選を実行し、その結果を保留球記憶情報としてＲＡＭに記憶する乱数抽選処理を実行している。
【００６６】
ここで、本実施例のパチンコ機は、センター役物の下方に備えられた始動入賞口への入賞を契機として乱数を取得し、「当たり」か「はずれ」かを抽選する。「当たり」には「２Ｒ通常」「２Ｒ確変」「１５Ｒ通常」「１５Ｒ確変」など、単に当たりというだけでなく、遊技者に対する有利さの異なる複数種類の当たり種別の中のいずれに該当するかを、別途行われる「当たり種別判定」として実行する。なお、「２Ｒ」「１５Ｒ」とは、特別遊技のラウンド数を意味し、「確変」とは、特別遊技終了後に抽選による大当たりの確率が高い高確率（「確率変動」ともいう）の遊技状態となる場合を意味する。「通常」は、特別遊技終了後に「確変」にならない場合を意味する。また、「２Ｒ」の場合、短時間だけ特別入賞口を開閉する動作となっていて実質的な出玉は期待できない遊技状態となっている。
【００６７】
「当たり／はずれ」の抽選に続いて、変動パターンが乱数抽選される。「当たり」の場合は、上述の様に、遊技者に対する有利さの異なる複数種類の当たり種別があることから、これら当たり種別のいずれであるかにより、当選確率を異ならせた変動パターンが、例えば、Ａ〜Ｃといった具合に複数用意されている。この変動パターンは、変動時間の長さとなっている。具体的には変動パターンごとに変動時間が異なっている。ここまではメイン制御基板３１０の処理として実行される。こうしてメイン制御基板３１０の決定した変動パターンに基づいて、サブ制御基板３２０側で変動パターンに対応する演出パターンが抽選される。例えば、変動パターンがＡ〜Ｃであるとき、演出パターンは、変動パターンＡに対して複数用意された演出パターンＡ１〜Ａｎの中のいずれかが、変動パターンＢに対して複数用意された演出パターンＢ１〜Ｂｎの中のいずれかが、変動パターンＣに対して複数用意された演出パターンＣ１〜Ｃｎの中のいずれかが、サブ制御基板３２０側で決定されるといった処理が実行されることになる。
【００６８】
また、「はずれ」の場合は、リーチはずれにするか否かを抽選し、リーチはずれとする場合は、さらに、「はずれリーチ」の「変動パターン」が乱数抽選によって決定される。なお、はずれリーチの変動パターンとしては、「リーチはずれ」「スーパーリーチはずれ」などがあり、「リーチはずれ」の抽選結果とならなかったときは「ノーマルはずれ」として定まっている変動パターンに基づくはずれ演出となる。「変動パターン」とは、図柄が変動開始してから停止するまでの変動時間のことであり、スーパーリーチの場合には複数の変動パターンの中の一つが抽選されることになる。「ノーマルはずれ」「リーチはずれ」「スーパーリーチはずれ」のいずれの変動パターンになるかは、当選確率が「ノーマルはずれ」＞「リーチはずれ」＞「スーパーリーチはずれ」となる様に乱数値との対応が予め定められている。なお、「リーチはずれ」「スーパーリーチはずれ」の変動パターンは、当たりの場合と逆の傾向となる様な当選確率で変動パターンと乱数値との関係が予め定められている。
【００６９】
上述の様に、「スーパーリーチ」にあっては、その変動パターンが複数（例えばＡ〜Ｃ）用意されていて、例えば、「当たり」のときは「スーパーリーチＡ」＞「スーパーリーチＢ」＞「スーパーリーチＣ」という当選確率でいずれのパターンに発展するかが設定され、逆に、「はずれ」のときは「スーパーリーチＣ」＞「スーパーリーチＢ」＞「スーパーリーチＡ」という当選確率でいずれのパターンに発展するかが設定されることにより、遊技者は、スーパーリーチ演出に発展したとき、「パターンＡ」の変動時間となる演出ならば「当たり」となることをより大きく期待し、逆に「パターンＣ」の変動時間となる演出ならば「当たり」の可能性は小さいと期待度が低い感覚を抱く。この様に、スーパーリーチの際に抽選された変動パターンに基づいて実行される演出パターンにより、遊技者に与える期待感を異ならせ、この結果、「パターンＡ」は信頼度が高く、「パターンＣ」は信頼度が低いといった予測を遊技者に与えることが可能となっている。なお、「ノーマル演出」は「当たり」での当選確率を極めて低く設定することによって「ノーマル当たり」にプレミアム感を持たせることにもなる。
【００７０】
ここで、上述の様に、「スーパーリーチＡ」は「スーパーリーチＣ」に比べて、「当たり」の場合に選ばれ易く「はずれ」の場合に選ばれ難い設定とされ、逆に、「スーパーリーチＣ」は「スーパーリーチＡ」に比べて、「当たり」の場合に選ばれ難く「はずれ」の場合に選ばれ易い設定とされることにより、スーパーリーチの種類によって信頼度が異なる結果を実現することとなる。この場合に、信頼度の高いスーパーリーチＡは変動時間が長く、信頼度が低いスーパーリーチＣは変動時間が短いデータ構成とすることにより、変動時間の長さが信頼度を意味する結果ともなる。
【００７１】
本実施例における乱数抽選処理は、図６（Ｂ）に示す様な演算処理ルーチンとして実行され、今回検知信号を入力したセンサが始動入賞口センサＳＥ１のものか否かを判定し（Ｓ１１０）、「ＮＯ」であれば直ちに処理を終了する。一方、「ＹＥＳ」と判定された場合は、保留球個数Ｎが４未満か否かを判定する（Ｓ１２０）。Ｎ＜４ならば（Ｓ１２０：ＹＥＳ）、保留球個数Ｎをインクリメントし（Ｓ１３０）、「ＮＯ」の場合は乱数抽選に進むことなく処理を終了する。
【００７２】
乱数抽選に進むと、まず、「当たり／はずれ」を抽選するための乱数を取得する「当たり／はずれ抽選」を実行する（Ｓ１４０）。そして、「当たり」の場合は（Ｓ１５０：ＹＥＳ）、「当たり種別」を決定するための乱数を取得し（Ｓ１６０）、「当たり種別」に対応する「変動パターン」の抽選までが実行される（Ｓ１６５）。「はずれ」の場合は（Ｓ１５０：ＮＯ）、「リーチ演出の有無」を決定するための乱数を取得し（Ｓ１７０）、「リーチ演出あり」の場合は、さらに「変動パターン」の抽選までが実行される（Ｓ１７５）。そして、Ｓ１４０，Ｓ１６０，Ｓ１７０で生成した乱数値をＲＡＭに記憶する（Ｓ１８０）。本実施例の場合、「当たり／はずれ」の乱数が「当たり」の場合に続いて「当たり種別」の乱数を取得することで、上述した「２Ｒ通常」「２Ｒ確変」「１５Ｒ通常」「１５Ｒ確変」のいずれに該当するかが特定されることとなる。なお、「ノーマルはずれ」について複数の変動パターンが設定される場合には、Ｓ１７０で「ＮＯ」の判定となった後に、「ノーマルはずれの変動パターン抽選」が追加されていても構わない。
【００７３】
［５  制御処理（保留消化）］
次に、保留消化処理について説明する。メイン制御基板３１０は、図７（Ａ）に示す制御系統により、ＲＡＭ内に記憶された保留球記憶情報から乱数値を読み出し、当選条件と照合して演出指令コマンドをサブ制御基板３２０に対して指令する保留消化処理を実行する。
【００７４】
保留消化処理は、図７（Ｂ）のフローチャートに示す様に、特別遊技を実行していない状態のときに（Ｓ２１０：ＮＯ）、ＲＡＭ内に保留記憶情報があるか否かを判定し（Ｓ２２０）、保留記憶情報があるときは当該記憶内容を一つ読み出し（Ｓ２３０）、乱数値１，乱数値２に基づいて演出指令コマンドを決定する（Ｓ２４０）。そして、この演出指令コマンドをサブ制御基板３２０に対して出力すると共に（Ｓ２５０）、保留記憶情報の更新を行う（Ｓ２６０）。
【００７５】
［６  制御処理（演出制御：メイン処理）］
サブ制御基板３２０は、図８（Ａ）に示す制御系統により、メイン制御基板３１０からの演出コマンドに対応する演出パターンに従って、液晶表示装置ＬＣＤ、発光装置ＬＥＤ、固定スピーカＳＰ０、モータＭＴ１〜ＭＴ３、ソレノイドＳＯＬ１，ＳＯＬ２、及び演出用スピーカＳＰ１〜ＳＰ３に対して制御信号を出力し、表示演出、発光演出、音声演出、可動体演出等を実行する。なお、メイン制御基板３１０からエラー報知が指令されたときは、エラー報知処理を実行する。
【００７６】
演出制御は、図８（Ｂ）示す様な演算処理ルーチンとして実行され、メイン制御基板３１０からの新たな演出指令コマンドが入力されたか否かを判定し（Ｓ３１０）、「ＹＥＳ」の場合は、演出の内容を特定し（Ｓ３２０）、対応する演出制御データをＲＯＭから読み出し（Ｓ３３０）、ＬＣＤ等に対して制御データを出力する（Ｓ３４０）。
【００７７】
サブ制御基板３２０は、演出制御においては、変動パターンの振り分け確率に対応する信頼度の高さを遊技者に感じさせる様に、可動体演出の内容が対応付けられている。その結果、遊技者が信頼度が高いと感じる様な派手な可動体演出が生じる状態が「激アツ」と呼ばれる。
【００７８】
即ち、上述の様に、リーチからの発展先である「スーパーリーチ」において、「演出パターンＡ１〜Ａｎ」へと発展すると「当たり」の可能性が高く、逆に「演出パターンＣ１〜Ｃｎ」へと発展すると「当たり」の可能性が低いといった「信頼度」を遊技者に感じさせる場合、この発展の前に実行する可動体による演出パターンについても、複数パターンを用意し、まずは動くか否か、その動きが如何なるものであるかにより、その後の発展先の「スーパーリーチ」のパターンを遊技者に予測させる制御がサブ制御基板３２０によってなされるのである。このため、サブ制御基板３２０のＲＯＭには、図８（Ｃ）に示す様に、大当たりの信頼度に応じた制御内容を特定するための可動体信頼度制御パターンテーブルＴＢＬが記憶されている。可動体信頼度制御パターンテーブルＴＢＬは、信頼度０＜信頼度１＜信頼度２＜信頼度３、…と大当たりの信頼度が高くなるほどより派手な演出を実行する様に構成されている。なお、演出パターンＡ１〜Ａｎは、変動パターンＡのスーパーリーチがメイン制御基板３１０から指令された場合に、サブ制御基板３２０側で抽選される。この抽選においても振り分け確率が予め決められている。メイン制御基板３１０側で抽選される変動パターンＡ〜Ｃは、信頼度を示す様に振り分け確率が定められたものであり、演出パターンＡ１〜Ａｎは、サブ側の振り分け抽選によって定まる。信頼度が、変動パターンＡ＞変動パターンＢ＞変動パターンＣとなる様にメイン側で振り分け確率が定められているとき、サブ側は、変動パターンＡに対しては信頼度５に対応する可動体演出を選び易く、逆に、信頼度の低い変動パターンＣにあっては、サブ側は信頼度５の可動体演出を選び難い様に振り分け確率を定める。
【００７９】
信頼度０の場合は、ロゴ可動体１００、振り子可動体２００のいずれも動作しない。このパターンからの「当たり」は極めてレアなものであり、「スーパーリーチ」であったとしても「パターンＣ」にしか発展せず、「当たりはほぼ期待できない」という様に、「信頼度の低さ」を遊技者に感じさせる様なタイプの演出である。
【００８０】
信頼度１では、モータＭＴ２をＯＮにして振り子待機位置でシャッタ２１０を開く。このパターンも「パターンＡ」への発展可能性は低く、「当たりは余り期待できない」という様に、「信頼度の低さ」を遊技者に感じさせる様なタイプの可動体演出である。
【００８１】
信頼度２では、ソレノイドＳＯＬ１，ＳＯＬ２をＯＮとする。このパターンは、ある程度は「パターンＡ」へと発展し易く、「当たりも全くない訳ではない」という様に、遊技者に「少しは信頼度が高いかな」という感覚を抱かせるタイプの演出である。
【００８２】
信頼度３では、ロゴ可動体役物１００を落下させると共にシャッタ２１０を開き、信頼度２に比べるとより派手な演出となる。このパターンは、動きが少し派手になることで、遊技者に「当たりはそこそこは期待できる」という様に感じさせる演出である。
【００８３】
信頼度４では、振り子２００を回動させ、かつ、シャッタ２１０を開く。この結果、信頼度３よりもさらに派手な演出となる。
【００８４】
信頼度５では、全ての制御対象をＯＮとする。この結果、ロゴ可動体役物１００が落下し、振り子役物２００が液晶表示装置ＬＣＤの中央へと回動した上でシャッタ２１０を開く。これにより、最も派手な形で、可動体演出が実行される。
【００８５】
これら、信頼度に対応する可動体及び演出用スピーカの制御パターンのいずれが選ばれるかは、「当たり」の場合には「信頼度５」が選ばれやすく、逆に「はずれ」の場合には「信頼度０」が選ばれ易くなる様に、「当たり」か「はずれ」かにより振り分け確率を異ならせた設定がなされることによって、遊技者に対して一定の期待感とその結果の一致度合いを異なるものとして感じさせ、信頼度が表現されているという感覚を与えるものとなる。
【００８６】
［７  制御処理（演出制御：契機信号発生処理１）］
サブ制御基板３２０は、図９（Ａ）に示す制御系統により、リアルタイムクロックＲＴＣから取得する時間情報と、レーザー受光器ＬＺinからの受光信号に基づき、赤外線発光器ＩＦout1，ＩＦout2による赤外線出力、超音波スピーカＵＳout による超音波出力を実行し、遊技場に設置されている他のパチンコ機と共に特定演出を一斉に開始するための契機信号を出力する処理を実行している。
【００８７】
この演出演出制御は、図９（Ｂ）示す様な演算処理ルーチンとして実行され、リアルタイムクロックＲＴＣから取得した時間情報が予め設定してある特定時刻（特定演出を一斉に実施するタイミング）になったか否かを判定する（Ｓ４１０）。特定時刻になったと判定された場合は（Ｓ４１０：ＹＥＳ）、特定演出を実行し得る状態とするための特定演出フラグに「１（オン）」がセットされているか否かを判定する（Ｓ４２０）。特定演出フラグに「１」がセットされていない場合は（Ｓ４２０：ＮＯ）、赤外線発光器ＩＦout1，ＩＦout2、超音波スピーカＵＳout に対する契機信号の出力指令を実行すると共に（Ｓ４３０）、特定演出フラグに「１」をセットする（Ｓ４４０）。既に特定演出フラグに「１」がセットされているときは（Ｓ４２０：ＹＥＳ）、Ｓ４３０，Ｓ４４０をパスしてＳ４５０へと進む。
【００８８】
そして、特定演出を実行するタイミングになるのを待つ（Ｓ４５０）。特定演出を実行するタイミングになったら（Ｓ４５０：ＹＥＳ）、変動演出を実行している最中か否かを判定する（Ｓ４５２）。変動演出実行中でない場合は（Ｓ４５２：ＮＯ）、さらに遊技中であるか否かを判定する（Ｓ４５４）。遊技中か否かは、例えば、発射装置Ｇの操作ハンドルが回転されているか否か、操作ハンドルが原点位置に戻されてから所定時間が経過いるか否か等から判定することができる。
【００８９】
変動演出実行中であると判定された場合は（Ｓ４５２：ＹＥＳ）、特定演出を液晶表示装置ＬＣＤに対して表示する範囲を画面の一部にする表示範囲変更処理を実行する（Ｓ４５６）。この表示範囲変更処理により、変動演出を邪魔せずに特定演出を表示することが可能となる。そして、特定演出データを読み出し（Ｓ４６０）、特定演出を実行し（Ｓ４７０）、特定演出フラグを「０（オフ）」に戻す（Ｓ４８０）。
【００９０】
変動演出実行中でないが（Ｓ４５２：ＮＯ）、遊技中であると判定された場合は（Ｓ４５４：ＹＥＳ）、Ｓ４５６をパスしてＳ４６０以下の処理を実行する。即ち、変動演出実行中でないときは、液晶表示装置ＬＣＤの全画面を特定演出の表示範囲として特定演出の表示が行われる。なお、この全画面に対する特定演出が実行されている最中に変動演出を開始する場合は、変動演出の表示態様を画面の一部の最前面とするなど変動演出を遊技者が見て楽しむことができる様な処理を別途用意しておく。
【００９１】
遊技中でないと判定された場合は（Ｓ４５４：ＮＯ）、Ｓ４６０〜Ｓ４７０はパスしてＳ４８０へ進む。これにより、遊技中でないパチンコ機には特定演出は表示しないこととなる。これは、演出を楽しむ遊技者がいない状態であるから、あえて特定演出は表示せず、例えば、待ち受け画面におけるＬＣＤの輝度を低くする等して消費電力を抑制する省エネモード等を優先するためである。なお、遊技中でないパチンコ機においても特定演出を表示する様にしても構わない。こうした特定演出を表示することで、台を探している客の興味を惹く効果を優先させる方がよい場合や、隣の台で特定演出が実行されないことを奇異に感じさせる場合もあるからである。
【００９２】
なお、特定時刻になってはいないと判定された場合は（Ｓ４１０：ＮＯ）、レーザ受光器ＬＺinに対してホールスタッフによるレーザポインタ指令が行われているか否かを判定する（Ｓ４９０）。レーザポインタ指令が行われたと判定された場合は（Ｓ４９０：ＹＥＳ）、Ｓ４２０以下の処理へと進み、レーザポインタ指令が行われていないと判定された場合は（Ｓ４９０：ＮＯ）、処理を終了する。
【００９３】
［８  制御処理（演出制御：契機信号発生処理２）］
サブ制御基板３２０は、図１０（Ａ）に示す制御系統により、赤外線受光器ＩＦin1 ，ＩＦin2 による赤外線入力、超音波マイクＵＳinによる超音波入力が検出されたとき、遊技場に設置されているさらに他のパチンコ機に対して契機信号を伝令すると共に特定演出を開始するための処理も実行している。
【００９４】
この演出演出制御は、図１０（Ｂ）示す様な演算処理ルーチンとして実行され、契機信号が入力されたか否かを判定し（Ｓ５１０）、契機信号入力があったときは（Ｓ５１０：ＹＥＳ）、赤外線発光器ＩＦout1，ＩＦout2、超音波スピーカＵＳout に対する契機信号の出力指令を実行する（Ｓ５２０）。これにより、他のパチンコ機から契機信号が入力されたときは、速やかに、さらに他のパチンコ機に対して契機信号を伝令する。
【００９５】
次に、特定演出フラグに「１（オン）」がセットされているか否かを判定する（Ｓ５３０）。特定演出フラグに「１」がセットされていない場合は（Ｓ５３０：ＮＯ）、特定演出フラグに「１」をセットし（Ｓ５４０）、特定演出を実行するタイミングになるのを待つ（Ｓ５５０）。既に特定演出フラグに「１」がセットされているときは（Ｓ５３０：ＹＥＳ）、Ｓ５３０をパスしてＳ５５０へと進む。
【００９６】
そして、特定演出を実行するタイミングになったら（Ｓ５５０：ＹＥＳ）、変動演出を実行している最中か否かを判定する（Ｓ５５２）。変動演出実行中でない場合は（Ｓ５５２：ＮＯ）、さらに遊技中であるか否かを判定する（Ｓ５５４）。
【００９７】
変動演出実行中であると判定された場合は（Ｓ５５２：ＹＥＳ）、特定演出を液晶表示装置ＬＣＤに対して表示する範囲を画面の一部にする表示範囲変更処理を実行する（Ｓ５５６）。そして、特定演出データを読み出し（Ｓ５６０）、特定演出を実行し（Ｓ５７０）、特定演出フラグを「０（オフ）」に戻す（Ｓ５８０）。
【００９８】
変動演出実行中でないが（Ｓ５５２：ＮＯ）、遊技中であると判定された場合は（Ｓ５５４：ＹＥＳ）、Ｓ５５６をパスしてＳ５６０以下の処理を実行する。
【００９９】
遊技中でないと判定された場合は（Ｓ５５４：ＮＯ）、Ｓ５６０〜Ｓ５７０はパスしてＳ５８０へ進む。
【０１００】
［１０  制御処理（演出制御：契機信号発生処理３）］
サブ制御基板３２０は、図１１（Ａ）に示す制御系統により、メイン制御基板３１０からの保留処理に伴う演出の特定に際しても、当該特定した演出の内容が特定演出を実行すべき条件となったとき、赤外線発光器ＩＦout1，ＩＦout2による赤外線出力、超音波スピーカＵＳout による超音波出力を実行し、遊技場に設置されている他のパチンコ機と共に特定演出を一斉に開始するための契機信号を出力する処理も実行している。
【０１０１】
ここで、演出に対応して他のパチンコ機に対して契機信号を出力する条件としては、例えば、全回転リーチ演出が実行されたり、大当たりラウンドの途中で確率変動への昇格演出が成立した様に、他の遊技者が「羨ましい。自分も。」と感じるような場合を設定しておくことができる。これとは逆に、「激アツスーパーリーチ」の演出がはずれで終了したときを契機信号を出力する条件としてもよい。この様な場合に特定演出を実行することで、他の遊技者は「自分こそは先に当てるぞ。」と感じる様な場合である。
【０１０２】
この演出演出制御は、図１１（Ｂ）示す様な演算処理ルーチンとして実行され、メイン制御基板３１０からの新たな演出指令コマンドが入力されたか否かを判定し（Ｓ６００）、「ＹＥＳ」の場合は、演出の内容を特定し（Ｓ６０５）、他のパチンコ機と共に特定の演出を実行すべき条件が成立したか否かを判定する（Ｓ６１０）。
【０１０３】
特定演出を実行すべき条件が成立したときは（Ｓ６１０：ＹＥＳ）、赤外線発光器ＩＦout1，ＩＦout2、超音波スピーカＵＳout に対する契機信号の出力指令を実行する（Ｓ６２０）。次に、特定演出フラグに「１（オン）」がセットされているか否かを判定する（Ｓ６３０）。特定演出フラグに「１」がセットされていない場合は（Ｓ６３０：ＮＯ）、特定演出フラグに「１」をセットし（Ｓ６４０）、特定演出を実行するタイミングになるのを待つ（Ｓ６５０）。既に特定演出フラグに「１」がセットされているときは（Ｓ６３０：ＹＥＳ）、Ｓ６３０をパスしてＳ６５０へと進む。
【０１０４】
そして、特定演出を実行するタイミングになったら（Ｓ６５０：ＹＥＳ）、変動演出を実行している最中か否かを判定する（Ｓ６５２）。変動演出実行中でない場合は（Ｓ６５２：ＮＯ）、さらに遊技中であるか否かを判定する（Ｓ６５４）。
【０１０５】
変動演出実行中であると判定された場合は（Ｓ６５２：ＹＥＳ）、特定演出を液晶表示装置ＬＣＤに対して表示する範囲が画面の一部となる様に作られた方のデータ（Ｂデータ）を読み出し対象に設定する（Ｓ６５６）。そして、特定演出データを読み出し（Ｓ６６０）、特定演出を実行し（Ｓ６７０）、特定演出フラグを「０（オフ）」に戻す（Ｓ６８０）。
【０１０６】
変動演出実行中でないが（Ｓ６５２：ＮＯ）、遊技中であると判定された場合は（Ｓ６５４：ＹＥＳ）、Ｓ６５６をパスしてＳ６６０以下の処理を実行する。この場合は、画面一杯に動画を表示する方のデータ（Ａデータ）が読み出されて実行される。
【０１０７】
遊技中でないと判定された場合は（Ｓ６５４：ＮＯ）、Ｓ６６０〜Ｓ６７０はパスしてＳ５８０へ進む。
【０１０８】
［１１  課題解決手段との対応］
実施例１のパチンコ機Ｐを課題解決手段と対応する様に示すと、図１２の様になる。図１２（Ａ）に示す様に、課題解決手段として、特定演出実行データ記憶手段Ｍ１、契機信号出力手段Ｍ２、契機信号受信手段Ｍ３、契機信号受信時特定演出実行可能化手段Ｍ５を備えることにより、本発明の目的を達成することができる。また、これに加えて、契機信号送信時特定演出実行可能化手段Ｍ７をも備えることが望ましい。
【０１０９】
ここで、契機信号出力手段Ｍ２として、実施例１のパチンコ機Ｐは、赤外線発光器ＩＦout1，ＩＦout2、及び超音波スピーカＵＳout を備えている。また、契機信号受信手段Ｍ３として、実施例１のパチンコ機Ｐは、赤外線受光器ＩＦin1 ，ＩＦin2 、及び超音波マイクＵＳinを備えている。
【０１１０】
赤外線発光器ＩＦout1，ＩＦout2及び赤外線受光器ＩＦin1 ，ＩＦin2 は、その取付位置に関しても課題解決手段における光出力手段Ｍ11A1，Ｍ11A2及び受光手段Ｍ11B1，Ｍ11B2の要件を満たすものである。
【０１１１】
超音波スピーカＵＳout 及び超音波マイクＵＳinは、その取付位置に関しても課題解決手段における音出力手段Ｍ12A 及び受音手段Ｍ12B の要件を満たすものである。
【０１１２】
また、実施例１のパチンコ機Ｐにおいては、課題解決手段における特定演出実行データ記憶手段Ｍ１にはサブ制御基板３２０の記憶装置が対応しており、課題解決手段における契機信号送信時特定演出実行可能化手段Ｍ７にはサブ制御基板３２０が実行する契機信号発生処理１のＳ４３０〜Ｓ４７０及び契機信号発生処理３のＳ６３０〜Ｓ６７０の演算処理が対応している。
【０１１３】
さらに、実施例１のパチンコ機Ｐにおいては、課題解決手段における契機信号受信時特定演出実行可能化手段Ｍ５にはサブ制御基板３２０が実行する契機信号発生処理２のＳ５３０〜Ｓ５７０の演算処理が対応している。
【０１１４】
加えて、実施例１のパチンコ機Ｐにおいては、課題解決手段における契機信号伝令手段Ｍ９にはサブ制御基板３２０が実行する契機信号発生処理２のＳ５１０〜Ｓ５２０の演算処理が対応している。
【０１１５】
また、実施例１のパチンコ機Ｐが備えるレーザー受光器ＬＺinは、課題解決手段における外部機器信号受信手段Ｍ１３に対応し、課題解決手段における外部指令応答制御実行手段Ｍ１４にはサブ制御基板３２０が実行する契機信号発生処理１のＳ４９０でＹＥＳの場合の演算処理が対応している。
【０１１６】
この様に、実施例１のパチンコ機Ｐは課題解決手段に対応する構成を全て備えたものとなっている。この結果、図１２（Ｂ），（Ｄ）に示す構成は、特定の演出のタイミングを最初に指令する点でリーダー台として機能する場合ということができ、図１２（Ｃ）に示す構成は、リーダー台からの契機信号に応答して特定の演出を実行するメンバー台として機能する場合ということができる。この結果、実施例１のパチンコ機Ｐは、リーダー兼メンバー台として機能するものとなっている。
【０１１７】
［１２  実施例１による作用・効果］
次に、実施例１のパチンコ機Ｐを遊技場に複数台設置した場合を例示しつつ作用・効果を説明する。
【０１１８】
図１３（Ａ）に示す様に、遊技場内の同じ遊技島に複数台のパチンコ機Ｐ１，Ｐ２，Ｐ３を隣り合うように設置したり、図１３（Ｂ）に示す様に、複数台のパチンコ機Ｐ11，Ｐ12，Ｐ21，Ｐ22，Ｐ31，Ｐ32を複数の島にわたり、隣合い、向かい合い、背中合わせとなる様に設置して用いることにより、いずれかのパチンコ機がリーダー台となって特定演出データに基づく特定の演出を各ぱちんコ機が実行し得る状態とさせる。
【０１１９】
このとき、リアルタイムクロックＲＴＣを用いる場合であっても、いずれかのパチンコ機のリアルタイムクロックＲＴＣが特定演出実行条件の時刻となったときに他のパチンコ機に対して契機信号を出力するので、各パチンコ機のリアルタイムクロックＲＴＣに時間情報のズレが生じていても、特定の演出を一斉に実行させることができる。
【０１２０】
また、実施例１において、リアルタイムクロックＲＴＣが特定演出実行条件の時刻となったパチンコ機が他にある場合、図９（Ｂ）のルーチンにおいて、既に特定フラグを「１」にセットした状態であれば（Ｓ４２０：ＹＥＳ）、Ｓ４３０，Ｓ４４０をパスするからリーダー台としての契機信号は出力しない。この結果、遊技場に設置した複数台の遊技機の中のどれか一台がリアルタイムクロックＲＴＣに基づくリーダー台としての機能を有することとなる。なお、実施例１は、リアルタイムクロックも契機信号出力条件の一つを与えるものとしたが、リアルタイムクロックは全く用いないで、「全回転リーチ」などといったパチンコ機毎の遊技状態が特定の条件を満足したときにだけ契機信号を出力する構成としてもよいことはもちろんである。本実施例は、リアルタイムクロックを契機信号出力条件を当たるものとする場合であっても、各パチンコ機のリアルタイムクロックの時間合わせといった煩雑な作業を要しない点が利点となる。
【０１２１】
さらに、他のパチンコ機から契機信号を受信したパチンコ機においては、図１０（Ｂ）のルーチンで契機信号入力を検出したとき（Ｓ５１０：ＹＥＳ）、契機信号を出力する（Ｓ５２０）。これにより、隣の台で光が遮られてさらに隣へは直接伝えることができなくても、例えば、隣から隣へとリレーする様に伝令がなされる。音の場合も、その到達範囲が遊技場全体に及んでいなくても、隣から隣へ、島から島へと伝令することができる。このとき、図９（Ｂ）、図１０（Ｂ）、図１１（Ｂ）の各ルーチンにおいては、既に特定演出フラグがセットされているか否かを判定する処理（Ｓ４３０，Ｓ５３０，Ｓ６１０）を備えているから、特定演出を実行するタイミングが複数発生して特定演出の一斉開始を妨げるということもない。
【０１２２】
また、レーザ受光器ＬＺinからの検知信号で図９（Ｂ）のルーチンのＳ４１０以下の制御を実行する構成となっているから、リアルタイムクロックＲＴＣによる予め条件化されている時刻での特定演出の実行に加えて、ホールスタッフが任意のタイミングで特定演出を一斉に開始させることもできる。さらに、図１１（Ｂ）のルーチンにより、例えば「全回転リーチ」「確変昇格」といった特定の演出状態・遊技状態がいずれかのパチンコ機に発生したとき、当該パチンコ機をリーダー台として特定演出を一斉に実行させることもできる。この結果、特定演出の実行タイミングがずれないだけでなく、特定演出の実行タイミングに変化を与えることができる。
【０１２３】
なお、メンバー台として特定演出を実行する際の実行タイミングを、リーダー台として特定演出を実行するタイミングに対して明確な差を設けておくこともできる。例えば、リーダー台で特定演出を開始した後、これに遅れてメンバー台が特定演出を実行するといった時間差のある演出を実行することができる。
【０１２４】
この場合、リーダー台が特定演出を実行して特定演出フラグを「０」に戻した後は、リーダー台であったパチンコ機もメンバー台として他のパチンコ機からの契機信号を受信することができるから、一旦はリーダー台として特定演出を開始した後、メンバー台と共に特定演出を再開するといった態様で一斉演出を実現する態様としておいてもよい。
【０１２５】
［１３  特定演出の実行例］
実施例１のパチンコ機Ｐは、図１４（Ａ）に示す様に、液晶表示装置ＬＣＤにコンサート画像を表示する画像演出、発光装置ＬＥＤによる発光演出、及び振り子役物２００を回動動作させる可動体演出を組み合わせた「特定演出」を実行するための「特定演出実行データ」をサブ制御基板３２０の記憶装置に予め記憶してある。
【０１２６】
そして、同じ遊技島に隣り合う様に複数台のパチンコ機Ｐ１，Ｐ２，Ｐ３を設置した場合、図１４（Ｂ）に示す様に、最初にリアルタイムクロックＲＴＣが特定演出実行条件の時間情報を示すこととなったパチンコ機Ｐ１がリーダー台となってパチンコ機Ｐ２，Ｐ３へと契機信号が伝達され、これらのパチンコ機Ｐ１，Ｐ２，Ｐ３において特定フラグを「１」にセットし、例えば、フラグセットから所定時間経過後に、パチンコ機Ｐ１はＳ４６０，Ｓ４７０を実行し、パチンコ機Ｐ２，Ｐ３はＳ５６０，Ｓ５７０を実行することにより、パチンコ機Ｐ１，Ｐ２，Ｐ３で一斉に図１４（Ａ）に示した特定演出実行データに対応する演出を実行させることができる。
【０１２７】
なお、図１４（Ｂ）の例において光で契機信号を伝達する場合は、パチンコ機Ｐ２からパチンコ機Ｐ３へと伝令される形となることから、伝令する契機信号に何番目の伝令であるかを識別可能な情報をセットしておき、伝令によるディレイを考慮した所定時間の経過を特定演出実行タイミングとする様にしてもよい。本実施例においては、Ｓ４３０，Ｓ４００の順番から分かる様に、リーダー台が契機信号を出力してから特定フラグに「１」をセットする構成としているので、このＳ４３０からＳ４４０へと進む間に伝達ディレイを考慮したウェイトタイムを設ける様にしてメンバー台への伝達ディレイを考慮しておくこともできる。
【０１２８】
図１４（Ｂ）のパチンコ機Ｐ３は、変動中であることから、特定演出としての映像の表示範囲を画面の一部にしたＢデータを用いて、変動中の演出を邪魔しない状態を示している。このＢデータは、変動中の演出を邪魔しない様に、振り子役物２００の動作も制限している例である。
【０１２９】
また、図１４（Ｃ）に示す様に、最初に全回転リーチとなったパチンコ機Ｐ２がリーダー台となってパチンコ機Ｐ１，Ｐ３へと契機信号が伝達され、これらのパチンコ機Ｐ１，Ｐ２，Ｐ３において特定フラグを「１」にセットし、例えば、フラグセットから所定時間経過後に、パチンコ機Ｐ２はＳ４６０，Ｓ４７０を実行し、パチンコ機Ｐ１，Ｐ３はＳ５６０，Ｓ５７０を実行することにより、パチンコ機Ｐ１，Ｐ２，Ｐ３で一斉に図１４（Ａ）に示した特定演出実行データに対応する演出を実行させることもできる。
【０１３０】
図１４（Ｃ）の例の様な作用が発揮できるのは、各パチンコ機Ｐ１，Ｐ２，Ｐ３が、図２で説明した様に、前枠Ｄの枠左側面に赤外線発光器ＩＦout1と赤外線受光器ＩＦin2 を備え、これらの設置高さと対応する様に前枠Ｄの枠右側面に赤外線受光器ＩＦin1 と赤外線発光器ＩＦout2とを備え、光信号によって左右へと契機信号を伝達することができる構成となっているからである。
【０１３１】
なお、図１４（Ｃ）の例では、リーダー台だけ振り子役物２００による可動体演出が行われ、メンバー台では振り子役物２００による可動体演出は実行しない。この様に、リーダー台として実行する特定演出のための特定演出実行データと、メンバー台として実行する特定演出のための特定演出実行データとを同一ではなく、異なる内容としておくこともできる。本実施例は、複数のパチンコ機の内のいずれかが契機信号を発生することによって、パチンコ機において予め記憶しておいたメンバー台としての特定演出実行データを読み出す契機が与えられ、これによって多数のパチンコ機が当該パチンコ機自身のＲＴＣによる契機ではなく、当該パチンコ機以外のパチンコ機から与えられる契機によって特定の演出を実行することにより、実行タイミングのズレをなくしたり、逆に伝染するような時間差を有する特定演出を実行することができる。
【０１３２】
また、実施例のパチンコ機Ｐは、前枠Ｄの枠上面左側に超音波スピーカＵＳout を前枠Ｄの枠上面右側に超音波マイクＵＳinを備えているので、図１５（Ａ）に示す様に、周囲全体へと契機信号を出力することができると共に、周囲各方向からの契機信号を受信することができる。これにより、図１５（Ｂ）に示す様に、パチンコ機Ｐ21で全回転リーチが発生した様な場合に、パチンコ機Ｐ21の超音波スピーカＵＳout21 から周囲へと出力された契機信号は、この場合の一番近い位置となる隣のパチンコ機Ｐ22の超音波マイクＵＳin22において検知されると同時に、裏側に設置されているパチンコ機Ｐ11，Ｐ12の超音波マイクＵＳin11，ＵＳin12でも検知され、向かい側に設置されているパチンコ機Ｐ31，Ｐ32の超音波マイクＵＳin31，ＵＳin32でも検知される。この結果、パチンコ機Ｐ11，Ｐ12，Ｐ21，Ｐ22，Ｐ31，Ｐ32において、図１５（Ｃ）に示す様に、特定演出が一斉に実行される。
【０１３３】
ここでも、図１４（Ｂ）に示した様に、変動中のパチンコ機では変動演出を邪魔しない態様に変化させて特定演出を実行し、振り子役物２００による可動体演出やＬＥＤによる発光演出はリーダー台のみとしてメンバー台では映像の表示演出を特定演出とする態様としておくことができる。
【０１３４】
以上説明した様に、実施例１のパチンコ機によれば、リーダー台の発する音や光を契機として、複数台の遊技機において特定の演出を行わせるという、かつてない構成を採用することにより、遊技場全体を盛り上げる様な新たなゲーム性を創出することができる。
【０１３５】
また、リーダー台の契機信号の発生タイミングによってリーダー台及びメンバー台における特定の演出の実行タイミングの統一や演出内容の統一などが図られることとなる。
【０１３６】
さらに、リーダー台が特定の演出の実行タイミングをコントロールする構成であるから、契機信号を発生させる条件を時刻をパラメータとして設定することもできるし、時刻以外の条件をパラメータとして設定することもでき、さらには、時刻と時刻以外の条件とをパラメータとしてそれぞれ設定しておくこともできる。従って、遊技場設備において複数台の遊技機がほぼ一斉に実行する特定の演出を、遊技者から見たときにランダムなタイミングで統一された演出が切り替わっているという新鮮な感覚を抱かせる様な設定も可能となる。
【０１３７】
そして、光を契機信号として伝令する場合には、契機信号がリーダー台から隣接するメンバー台に対して順次伝令していくといった“連動感”“一体感”を与える演出に適する。また、音を契機信号とする場合、契機信号を発生させたリーダー台から音の届く範囲内のメンバー台に対して一斉に契機信号を伝えることができ、“散発的”“偶発的”な演出に適するものとなる。
【０１３８】
加えて、ホールスタッフがレーザポインタで任意のタイミングにおいてリーダー台を生じさせることもできる結果、遊技場全体を盛り上げる様にするなど、ホール運営と連動させた一斉演出を実施させることもできる。なお、実施例ではレーザポインタを外部機器としているが、指向性が高く特定周波数の音だけを検出できる様なマイクロフォンを用いて特定の音を発生させるハンディ音声発生装置の様なもので契機信号発生タイミングを指令する様にすることもできる。
【０１３９】
この様に、本実施例によれば、遊技場に設置された複数台の遊技機に、タイミングよく、経年的なズレもなく、統一的な演出を煩雑な作業を必用とせずに発生させることができる。また、統一的であるにも拘わらず発生タイミング等に変化を与え得る様にすることもできる。
【０１４０】
［変形例１］
上述の実施例１では、リーダー台としての特定演出実行データとメンバー台としての特定演出実行データを同一内容としている場合（図１４（Ｂ）参照）、関連性を有するものの部分的に異なる内容としている場合（図１４（Ｃ）参照）を説明したが、特定演出実行データとして映像演出（ＤＡ）、可動体演出（ＤＢ）、発光演出（ＤＣ）のそれぞれを記憶っせておき、リーダー台となったときは、ＤＡ〜ＤＣの全てを実行し、メンバー台となったときはＤＡ〜ＤＣの一部だけを実行するといった様にデータは共通で、リーダー台かメンバー台かによってどのデータを使うかを切り換えるという構成としてもよい。
【０１４１】
この様に、特定演出の契機となったリーダー台が判明する様に、リーダー台として実施する特定演出とメンバー台として実施する特定演出とに演出要素の差を設ける様にしておいても構わない。
【０１４２】
［変形例２］
遊技場設備には、実施例１のパチンコ機が少なくとも２台以上あれば、リーダー台が固定されることがない。一方、実施例１のパチンコ機を１台とし、実施例１のパチンコ機と同様にメンバー台としての演算処理（Ｓ５１０〜Ｓ５８０）と特定演出データを記憶しているもののリーダー台としての演算処理（Ｓ４１０〜Ｓ４９０、Ｓ６００〜Ｓ６８０）を備えないか制限したパチンコ機を複数台設置してリーダー台固定とすることもできる。この場合、一斉演出がパチンコ機毎にずれてしまうという問題を解決できるだけではなく、いつ発生するかが決まっていない条件（全回転リーチなど）でも契機信号を発生させることにより、一斉演出の実施タイミングに変化を持たせるという効果も十分に発揮される。なお、実施例１のパチンコ機は、リーダー台にもメンバー台にもなり得る「リーダー兼メンバー台」ということができ、実施例１のパチンコ機を複数台設置することにより、本発明の目的を効果的に達成することができる。
【０１４３】
［変形例３］
実施例では、「特定フラグ」を用いて、契機信号発生と同時ではなく、所定時間経過後に特定演出を一斉に実行させる構成としたが、光の伝播速度は極めて高速であり、音についても遊技場内においてはほとんど伝播速度の問題はないと考えることができるから、特定フラグをセットしてタイミングを待つという構成に替えて、リーダー台は契機信号を発生させたら特定演出を実行し、メンバー台は契機信号を受信したら特定演出を実行するという構成にしても構わない。
【０１４４】
［変形例４］
特定演出実行タイミングを待ち時間として実施例１は説明したが、例えば、「契機信号を受けたら特定の演出を実行するためのフラグを立て、遊技場全体に流されているＢＧＭの切り替わりのタイミングや、大当たりを知らせる電子音や特定の場内アナウンスが流されるタイミングなど、遊技場全体に共通な所定条件の成立により、契機信号を受信してフラグを立てておいた演出を各遊技台が開始する」といった様に構成して構わない。
【０１４５】
［変形例４］
リーダー台が発生する「音からなる契機信号」として、「超音波」で説明したが、遊技場の通常の環境では存在しない音であれば可聴音であってもよく、例えば、モスキート音などを出力するスピーカを備える様にしてもよい。また、「音からなる契機信号」としては、超音波やモスキート音の様な「特定周波数の音」に限らず、「特定の効果音」や「特定のＢＧＭ」を発生させる構成としておいても構わない。
【０１４６】
［変形例５］
実施例１では、リーダー台が発生する「光からなる契機信号」として赤外線で説明したが、「遊技場内で通常発生させない特定の周波数の光」として、例えばレーザ光を用いてもよい。なお、「光の入射方向を特定方向とすること」で契機信号としたり、「発光パルスを特定のパルスとした断続的な光信号」をもって契機信号とするなど、ＬＥＤ発光等を用いて契機信号を与えることもできる。
【０１４７】
［変形例６］
さらに、実施例１は光と音の両方を契機信号としているが、本発明を実施するに当たっては、「光のみを契機信号とする」「音のみを契機信号とする」「光か音のいずれかを契機信号とする」「光と音の両方からなる契機信号とする」など、種々に構成することができる。
【０１４８】
［変形例６］
「特定の演出」としては、「デモンストレーション的な演出」に限らず、「大当たり予告演出」や「確変昇格演出」を対象とすることもできる。また、一斉に特定の演出を実行するタイミングを厳密に一致させず、リーダー台から演出が伝播していく様に、デモンストレーション画面が隣へ隣へと表示タイミングをずらす様にして表示される様な演出を特定演出としても構わない。伝播することで、厳密な一致ではないもののタイミングのよい一斉演出という効果は十分に達成でき、逆に、どこから伝播が始まったかが分かる結果、自分が遊技しているパチンコ機がリーダー台かメンバー台かが判明し、特に、大当たり予告演出を特定演出とする場合、大当たりとなったリーダー台が判明させることで興趣を高めることもできる。時間的なズレの含まれる伝播形演出であっても、本実施例のパチンコ機では契機信号の伝令等により、そのズレが制御されるから、一斉演出としての効果を損なわないのである。
【０１４９】
［変形例７］
加えて、特定の演出は、デモンストレーション的な動画表示に限らず、リーダー台が発した契機信号をトリガーとして、同種遊技機における「予告演出」で出現させる「キャラクタの種類」を統一し、最初の契機信号ではあるキャラクタを予告演出に登場し得る状態とし、次の契機信号で異なるキャラクタが登場し得る状態に切り換えるといった様に、複数台の遊技機同士があたかも申し合わせた様に種々の演出を行う様に特定演出データを記憶させておいても構わない。
【０１５０】
［変形例８］
特定の演出は、例えば、背景画面をリーダー台とメンバー台で一致させる様な態様とされていても構わない。
【０１５１】
［変形例９］
図１４（Ｃ）の様にリーダー台から左右に契機信号が出力される場合、左側から契機信号を受信したメンバー台は特定演出Ａを実行し、右側から契機信号を受信したメンバー台は特定演出Ｂを実行するといった具合に、各パチンコ機には契機信号の伝達方向に応じて異なる内容の特定演出を実行させる様に、複数の特定演出実行データを記憶させておくこともできる。
【０１５２】
以上、発明を実施するための実施例を説明したが、本発明は、これらに限定されるものではなく、その要旨を逸脱しない範囲内における種々の変更が可能である。
【０１５３】
例えば、パチスロ機に適用することもできる。
【０１５４】
本発明は、実施例でも詳細に説明した通り、パチンコ機に予め記憶させておいた特定の演出のための特定演出実行データを読み出す契機を、当該パチンコ機自身の時間的な情報や遊技状態で与えるだけでなく、他のパチンコ機から受信した契機信号によって特定演出実行データを読み出し契機が与えられることに特徴を有するものである。従って、実施例で説明した動画画像などは一例であり、これに限られず、契機が与えられたときに実行する特定演出は、可動体演出のみによる特定演出であったり、発光演出のみによる特定演出であったり、音声演出のみによる特定演出であったりしても構わない。
【産業上の利用可能性】
【０１５５】
本発明はパチンコ機やパチスロ機に利用することができる。
【符号の説明】
【０１５６】
Ｍ１・・・特定演出実行データ記憶手段、Ｍ２・・・契機信号出力手段、Ｍ３・・・契機信号受信手段、Ｍ５・・・契機信号受信時特定演出実行可能化手段、Ｍ６・・・契機信号受信時実行可能化データ選択手段、Ｍ７・・・契機信号送信時特定演出実行可能化手段、Ｍ８・・・契機信号送信時実行可能化データ選択手段、Ｍ９・・・契機信号伝令手段、Ｍ11A1 ，Ｍ11A2 ・・・光出力手段、Ｍ11B1 ，Ｍ11B2 ・・・受光手段、Ｍ12A  ・・・音出力手段、Ｍ12B ・・・受音手段、Ｍ１３・・・外部機器信号受信手段、Ｍ１４・・・外部指令応答制御実行手段、
Ａ・・・外枠、Ｂ・・・中枠、Ｄ・・・前枠、Ｅ・・・上の球受け皿、Ｆ・・・下の球受け皿、Ｇ・・・発射装置、ＩＦin1 ・・・赤外線受光器、ＩＦin2 ・・・赤外線受光器、ＩＦout1・・・赤外線発光器、ＩＦout2・・・赤外線発光器、ＬＣＤ・・・液晶表示装置、ＬＥＤ・・・発光装置、ＬＺin・・・レーザー受光器、ＭＴ１〜ＭＴ３・・・モータ、Ｐ，Ｐ１，Ｐ２，Ｐ３，Ｐ11，Ｐ12，Ｐ21，Ｐ22，Ｐ31，Ｐ32・・・パチンコ機（遊技機）、ＲＴＣ・・・リアルタイムクロック、ＳＥ１〜ＳＥ５・・・入賞検知センサ、ＳＥ１１，ＳＥ１２・・・排出球検知センサ、ＳＯＬ１，ＳＯＬ２・・ソレノイド、ＳＰ０・・・固定スピーカ、、ＵＳin・・・超音波マイク、ＵＳout ・・・超音波スピーカ、
１・・・遊技盤、３・・・センター役物、１１・・・始動入賞口、１２・・・特別入賞口、１３〜１５・・・普通入賞口、１００・・・ロゴ可動体役物、２００・・・振り子役物、２１０・・・シャッタ、３００・・・透明壁、３１０・・・メイン制御基板、３２０・・・サブ制御基板、３３０・・・払出制御基板、３４０・・・発射制御基板、４００・・・ホールコンピュータ。
【図４】
2014226301.tif 000003
【図５】
2014226301.tif 000004
【図６】
2014226301.tif 000005
【図７】
2014226301.tif 000006
【図９】
2014226301.tif 000007
【図１０】
2014226301.tif 000008
【図１１】
2014226301.tif 000009
【図１】
2014226301.tif 000010
【図２】
2014226301.tif 000011
【図３】
2014226301.tif 000012
【図８】
2014226301.tif 000013
【図１２】
2014226301.tif 000014
【図１３】
2014226301.tif 000015
【図１４】
2014226301.tif 000016
【図１５】
2014226301.tif 000017